【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
ビデオ復号のための装置であって、前記装置は下記を備える、
複数の色成分を含む前記再構成されたビデオデータに適用されたサンプル適応オフセット（ＳＡＯ）フィルタのオフセット値を、符号化ビデオビットストリームにおいて、受信するための手段と、
前記再構成されたビデオデータの第１の色成分の第１のスケールファクタを示す第１の値および第２のスケールファクタを示す第２の値を、前記ビデオデータのビット深度が１０ビットよりも大きい場合、前記符号化ビデオビットストリームのピクチャパラメータセット（ＰＰＳ）において、受信するための手段、ここで、前記第１のスケールファクタは、前記再構成されたビデオデータの第２の色成分の前記第２のスケールファクタとは異なる、と、
前記第１のスケールファクタを前記オフセット値に適用することに基づいて、スケーリングされたオフセット値を与えるための手段と、
前記ビデオデータの前記第１の色成分に前記スケーリングされたオフセット値を加算することでスケーリングされた色成分を生成するための手段と、
前記スケーリングされた色成分に従って、前記再構成されたビデオデータを復号するための手段。
【請求項２】
ビデオ符号化のための装置であって、前記装置は下記を備える、
複数の色成分を含む前記再構成されたビデオデータに適用されたサンプル適応オフセット（ＳＡＯ）フィルタのオフセット値を、符号化ビデオビットストリームにおいて、シグナリングするための手段と、
前記再構成されたビデオデータの第１の色成分の第１のスケールファクタを示す第１の値および第２のスケールファクタを示す第２の値を、前記ビデオデータのビット深度が１０ビットよりも大きい場合、前記符号化ビデオビットストリームのピクチャパラメータセット（ＰＰＳ）において、シグナリングするための手段、ここで、前記第１のスケールファクタは、前記再構成されたビデオデータの第２の色成分の前記第２のスケールファクタとは異なる、と、
前記第１のスケールファクタを前記オフセット値に適用することに基づいて、スケーリングされたオフセット値を与えるための手段と、
前記ビデオデータの前記第１の色成分に前記スケーリングされたオフセット値を加算することでスケーリングされた色成分を生成するための手段と、
前記スケーリングされた色成分に従って、前記再構成されたビデオデータを符号化するための手段。
【請求項３】
コーディングツリーユニット（ＣＴＵ）のレベルでシグナリングされた前記オフセット値を受信するようにさらに構成される、請求項１または２に記載の装置。
【請求項４】
前記ビデオデータのピクチャのシーケンスに関連付けられたビット深度を示す第３の値を受信するようにさらに構成される、請求項１に記載の装置、または前記ビデオデータのピクチャのシーケンスに関連付けられたビット深度を示す第３の値をシグナリングするようにさらに構成される、請求項２に記載の装置。
【請求項５】
前記第１の色成分が、前記ビデオデータのブロックに関連付けられたルーマ値または少なくとも１つのクロマ値のうちの１つを備える、請求項１または２に記載の装置。
【請求項６】
前記第１のスケールファクタに少なくとも部分的に基づいて前記オフセット値を線形スケーリングすることに基づいて、前記スケーリングされたオフセット値を与えるようにさらに構成される、および／または、前記第１のスケールファクタに少なくとも部分的に基づいて前記オフセット値を非線形スケーリングすることに基づいて、前記スケーリングされたオフセット値を与えるようにさらに構成される、ここにおいて、前記装置は、好ましくは、前記第１の色成分に関連付けられた所与のビット深度に少なくとも部分的に基づいて、前記オフセット値を線形または非線形のいずれかでスケーリングするかどうかを決定するようにさらに構成される、請求項１または２に記載の装置。
【請求項７】
それぞれ第１のグループと第２のグループとに関連付けられた第１のビット深度および第２のビット深度に基づいて、色成分の前記第１のグループと前記第２のグループとのオフセット値を線形または非線形のいずれかでスケーリングするかどうかを決定するようにさらに構成される、請求項１または２に記載の装置。
【請求項８】
第３のスケールファクタに従って、前記ビデオデータの色成分の第１のグループの第１のオフセット値を線形スケーリングすることと、
第４のスケールファクタに従って、前記ビデオデータの色成分の第２のグループの第２のオフセット値を非線形スケーリングすることと、に基づいて、複数のスケーリングされた色成分を生成するようにさらに構成される、請求項７に記載の装置。
【請求項９】
デブロックフィルタを前記ビデオデータの少なくとも１つのブロックに適用することに基づいて、前記ビデオデータ中の前記少なくとも１つのブロックに関連付けられたブロックエッジを平滑化し、
前記オフセット値に適用された前記スケールファクタに少なくとも部分的に基づいて、前記少なくとも１つのブロックの隣接ピクセル値のグループをスケーリングし、
前記スケーリングされたグループのエッジ形状に少なくとも部分的に基づいて、エッジオフセットカテゴリを識別し、
前記識別されたエッジオフセットカテゴリに基づいて、前記ＳＡＯフィルタを調整する、ようにさらに構成される、請求項１または２に記載の装置。
【請求項１０】
前記オフセット値をエントロピー復号することに基づいて、復号オフセット値を与え、
前記スケールファクタを前記復号オフセット値に適用することに基づいて、前記スケーリングされたオフセット値を与える、
ようにさらに構成される、請求項１に記載の装置、または
前記オフセット値をエントロピー復号することに基づいて、符号化オフセット値を与え、
前記スケールファクタを前記符号化オフセット値に適用することに基づいて、前記スケーリングされたオフセット値を与える、
ようにさらに構成される、請求項２に記載の装置。
【請求項１１】
複数の色成分を含むビデオデータを復号する方法であって、前記方法は下記を備える、
符号化ビデオビットストリームに基づいて再構成されたビデオデータに適用されたサンプル適応オフセット（ＳＡＯ）フィルタの符号化オフセット値を、前記符号化ビデオビットストリームにおいて、受信することと、
前記ビデオデータのビット深度が１０ビットよりも大きい場合、前記再構成されたビデオデータの第１の色成分の第１のスケールファクタを示す第１の値および第２のスケールファクタを示す第２の値を、前記符号化ビデオビットストリームのピクチャパラメータセット（ＰＰＳ）において、受信することと、前記第１のスケールファクタは、前記再構成されたビデオデータの第２の色成分の前記第２のスケールファクタとは異なる、
前記符号化オフセット値をエントロピー復号することに基づいて、復号オフセット値を与えることと、
前記第１のスケールファクタを前記復号オフセット値に適用することに基づいて、スケーリングされたオフセット値を与えることと、
前記ビデオデータの前記第１の色成分に前記スケーリングされたオフセット値を加算することでスケーリングされた色成分を生成することと、
前記スケーリングされた色成分に従って、前記再構成されたビデオデータを復号すること。
【請求項１２】
複数の色成分を含むビデオデータを符号化する方法であって、前記方法は下記を備える、
符号化ビデオビットストリームに基づいて再構成されたビデオデータに適用されたサンプル適応オフセット（ＳＡＯ）フィルタの符号化オフセット値を、前記符号化ビデオビットストリームにおいて、シグナリングすることと、
前記ビデオデータのビット深度が１０ビットよりも大きい場合、前記再構成されたビデオデータの第１の色成分の第１のスケールファクタを示す第１の値および第２のスケールファクタを示す第２の値を、前記符号化ビデオビットストリームのピクチャパラメータセット（ＰＰＳ）において、シグナリングすること、ここで、前記第１のスケールファクタは、前記再構成されたビデオデータの第２の色成分の前記第２のスケールファクタとは異なる、と、
前記符号化オフセット値をエントロピー符号化することに基づいて、符号化オフセット値を与えることと、
前記第１のスケールファクタを前記符号化オフセット値に適用することに基づいて、スケーリングされたオフセット値を与えることと、
前記ビデオデータの前記第１の色成分に前記スケーリングされたオフセット値を加算することでスケーリングされた色成分を生成することと、
前記スケーリングされた色成分に従って、前記再構成されたビデオデータを符号化すること。
【請求項１３】
前記スケーリングされたオフセット値を与えることが、前記第１のスケールファクタに少なくとも部分的に基づいて、前記オフセット値を線形スケーリングすることを備える、および／または、前記スケーリングされたオフセット値を与えることが、前記第１のスケールファクタに少なくとも部分的に基づいて、前記オフセット値を非線形スケーリングすることを備える、請求項１１または１２に記載の方法。
【請求項１４】
デブロックフィルタを前記ビデオデータの少なくとも１つのブロックに適用することに基づいて、前記ビデオデータ中の前記少なくとも１つのブロックに関連付けられたブロックエッジを平滑化することと、
前記オフセット値に適用された前記第１のスケールファクタに少なくとも部分的に基づいて、前記少なくとも１つのブロックの隣接ピクセル値のグループに前記スケーリングされたオフセット値を加算することと、
前記スケーリングされたグループのエッジ形状に少なくとも部分的に基づいて、エッジオフセットカテゴリを識別することと、
前記識別されたエッジオフセットカテゴリに基づいて、前記ＳＡＯフィルタを調整することと、をさらに備える、請求項１１または１２に記載の方法。
【請求項１５】
実行されると、装置に、請求項１１乃至１４のうちのいずれか１項に記載の方法を実行させるコードを備える非一時的コンピュータ可読媒体。